【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
第１および第２の表示パネルと、
第１のモードにおいて前記第１の表示パネルの一部に第１の画像を表示させ、第２のモードにおいて前記第１の画像に対応する第２の画像を前記第１の表示パネルに全画面表示させ、第３のモードにおいて前記第１の画像に対応する第３の画像を前記第１および第２の表示パネルに全画面表示させる表示制御手段と、
前記第１のモード中に第１の命令を受け付ける受付手段と、
前記第１の命令を受け付けた際に、前記第１の画像が所定エリアに表示されているか否かを判断する判断手段と、
前記判断手段が前記第１の画像が前記所定エリアに表示されていると判断した場合に第３のモードに切り替え、前記判断手段が前記第１の画像が前記所定エリアに表示されていないと判断した場合に第２のモードに切り替える切替手段とを備え、
前記判断手段は、前記表示制御手段が前記第１の表示パネルと前記第２の表示パネルとに前記第１の画像を表示させているか否かを判断し、前記表示制御手段が前記第１の表示パネルと前記第２の表示パネルとに前記第１の画像を表示させている場合に、前記第１の画像が前記所定エリアに表示されていると判断する、画像表示装置。
【請求項２】
前記受付手段は、前記第３のモード中に第２の命令を受け付け、
前記切替手段は、前記第２の命令を受け付けた際に、前記第１のモードに切り替える、請求項１に記載の画像表示装置。
【請求項３】
前記受付手段は、前記第３のモード中に、前記第２の命令を受け付けるとともに、前記第１および第２の表示パネルのいずれかを介して、前記第１および第２の表示パネルのいずれかにおける位置を指定する第１の指定命令を受け付け、
前記表示制御手段は、前記第１の指定命令に基づいて、前記第１および第２の表示パネルのいずれかにおける前記指定位置に前記第１の画像を表示させる、請求項２に記載の画像表示装置。
【請求項４】
前記受付手段は、前記第２のモード中に第３の命令を受け付け、
前記切替手段は、前記第３の命令を受け付けた際に、前記第１のモードに切り替える、請求項３に記載の画像表示装置。
【請求項５】
前記受付手段は、前記第２のモード中に、前記第３の命令を受け付けるとともに、前記第１の表示パネルを介して、前記第１の表示パネルにおける位置を指定する第２の指定命令を受け付け、
前記表示制御手段は、前記第２の指定命令に基づいて、前記第１の表示パネルにおける前記指定位置に前記第１の画像を表示させる、請求項４に記載の画像表示装置。
【請求項６】
前記第１および第２の表示パネルの各々は、
入射光に応じて入力信号を生成する複数の光センサ回路と、
出力信号に応じて光を発する複数の画素回路とを含み、
前記受付手段は、前記第１および第２の表示パネルからの前記入力信号に基づいて前記命令を受け付け、
前記表示制御手段は、前記第１および第２の表示パネルに前記出力信号を出力することによって、前記第１および第２の表示パネルに前記画像を表示させる、請求項１から５のいずれか１項に記載の画像表示装置。
【請求項７】
第１および第２の表示パネルと演算処理部とを備える画像表示装置における画像表示方法であって、
前記演算処理部が、第１のモードにおいて前記第１の表示パネルの一部に第１の画像を表示させるステップと、
前記演算処理部が、第２のモードにおいて前記第１の画像に対応する第２の画像を前記第１の表示パネルに全画面表示させるステップと、
前記演算処理部が、第３のモードにおいて前記第１の画像に対応する第３の画像を前記第１および第２の表示パネルに全画面表示させるステップと、
前記演算処理部が、前記第１のモード中に第１の命令を受け付けるステップと、
前記演算処理部が、前記第１の命令を受け付けた際に、前記第１の画像が所定エリアに表示されているか否かを判断するステップと、
前記演算処理部が、前記第１の画像が前記所定エリアに表示されていると判断した場合に第３のモードに切り替えるステップと、
前記演算処理部が、前記第１の画像が前記所定エリアに表示されていないと判断した場合に第２のモードに切り替えるステップとを備え、
前記判断するステップは、前記第１の表示パネルと前記第２の表示パネルとに前記第１の画像が表示されているか否かを判断し、前記第１の表示パネルと前記第２の表示パネルとに前記第１の画像が表示されている場合に、前記第１の画像が前記所定エリアに表示されていると判断することを含む、画像表示方法。
【請求項８】
第１および第２の表示パネルと演算処理部とを備える画像表示装置に画像を表示させるための画像表示プログラムであって、
前記演算処理部に、
第１のモードにおいて前記第１の表示パネルの一部に第１の画像を表示させるステップと、
第２のモードにおいて前記第１の画像に対応する第２の画像を前記第１の表示パネルに全画面表示させるステップと、
第３のモードにおいて前記第１の画像に対応する第３の画像を前記第１および第２の表示パネルに全画面表示させるステップと、
前記第１のモード中に第１の命令を受け付けるステップと、
前記第１の命令を受け付けた際に、前記第１の画像が所定エリアに表示されているか否かを判断するステップと、
前記第１の画像が前記所定エリアに表示されていると判断した場合に第３のモードに切り替えるステップと、
前記第１の画像が前記所定エリアに表示されていないと判断した場合に第２のモードに切り替えるステップとを実行させ、
前記判断するステップは、前記第１の表示パネルと前記第２の表示パネルとに前記第１の画像が表示されているか否かを判断し、前記第１の表示パネルと前記第２の表示パネルとに前記第１の画像が表示されている場合に、前記第１の画像が前記所定エリアに表示されていると判断することを含む、画像表示プログラム。
【手続補正２】
【補正対象書類名】明細書
【補正対象項目名】０００６
【補正方法】変更
【補正の内容】
【０００６】
この発明のある局面に従うと、画像表示装置が提供される。画像表示装置は、第１および第２の表示パネルと、第１のモードにおいて第１の表示パネルの一部に第１の画像を表示させ、第２のモードにおいて第１の画像に対応する第２の画像を第１の表示パネルに全画面表示させ、第３のモードにおいて第１の画像に対応する第３の画像を第１および第２の表示パネルに全画面表示させる表示制御手段と、第１のモード中に第１の命令を受け付ける受付手段と、第１の命令を受け付けた際に、第１の画像が所定エリアに表示されているか否かを判断する判断手段と、判断手段が第１の画像が所定エリアに表示されていると判断した場合に第３のモードに切り替え、判断手段が第１の画像が所定エリアに表示されていないと判断した場合に第２のモードに切り替える切替手段とを備える。判断手段は、表示制御手段が第１の表示パネルと第２の表示パネルとに第１の画像を表示させているか否かを判断し、表示制御手段が第１の表示パネルと第２の表示パネルとに第１の画像を表示させている場合に、第１の画像が所定エリアに表示されていると判断する。
【手続補正３】
【補正対象書類名】明細書
【補正対象項目名】０００７
【補正方法】削除
【補正の内容】
【手続補正４】
【補正対象書類名】明細書
【補正対象項目名】００１３
【補正方法】変更
【補正の内容】
【００１３】
この発明の別の局面に従うと、第１および第２の表示パネルと演算処理部とを備える画像表示装置における画像表示方法が提供される。画像表示方法は、演算処理部が、第１のモードにおいて第１の表示パネルの一部に第１の画像を表示させるステップと、演算処理部が、第２のモードにおいて第１の画像に対応する第２の画像を第１の表示パネルに全画面表示させるステップと、演算処理部が、第３のモードにおいて第１の画像に対応する第３の画像を第１および第２の表示パネルに全画面表示させるステップと、演算処理部が、第１のモード中に第１の命令を受け付けるステップと、演算処理部が、第１の命令を受け付けた際に、第１の画像が所定エリアに表示されているか否かを判断するステップと、演算処理部が、第１の画像が所定エリアに表示されていると判断した場合に第３のモードに切り替えるステップと、演算処理部が、第１の画像が所定エリアに表示されていないと判断した場合に第２のモードに切り替えるステップとを備える。判断するステップは、第１の表示パネルと第２の表示パネルとに第１の画像が表示されているか否かを判断し、第１の表示パネルと第２の表示パネルとに第１の画像が表示されている場合に、第１の画像が所定エリアに表示されていると判断することを含む。
【手続補正５】
【補正対象書類名】明細書
【補正対象項目名】００１４
【補正方法】変更
【補正の内容】
【００１４】
この発明の別の局面に従うと、第１および第２の表示パネルと演算処理部とを備える画像表示装置に画像を表示させるための画像表示プログラムが提供される。画像表示プログラムは、演算処理部に、第１のモードにおいて第１の表示パネルの一部に第１の画像を表示させるステップと、第２のモードにおいて第１の画像に対応する第２の画像を第１の表示パネルに全画面表示させるステップと、第３のモードにおいて第１の画像に対応する第３の画像を第１および第２の表示パネルに全画面表示させるステップと、第１のモード中に第１の命令を受け付けるステップと、第１の命令を受け付けた際に、第１の画像が所定エリアに表示されているか否かを判断するステップと、第１の画像が所定エリアに表示されていると判断した場合に第３のモードに切り替えるステップと、第１の画像が所定エリアに表示されていないと判断した場合に第２のモードに切り替えるステップとを実行させる。判断するステップは、第１の表示パネルと第２の表示パネルとに第１の画像が表示されているか否かを判断し、第１の表示パネルと第２の表示パネルとに第１の画像が表示されている場合に、第１の画像が所定エリアに表示されていると判断することを含む。